(57)【要約】【課題】  ユーザが見るのに適した映像を表示すること。【解決手段】  テレビジョン受像機１００は、映像を表示する映像表示パネル２２と、映像表示パネル２２の表示面に対するリモコン送信機５１の相対位置を検出する角度・距離センサ１０および位置情報演算回路１４と、検出された相対位置に基づいて、映像表示パネル２２を制御するマイコン１８、駆動回路２４およびスタンド角度調整回路２０と、を備える。【選択図】        図３
2007074130.tif 000002
【特許請求の範囲】
【請求項１】
画像を表示する表示手段と、
前記表示手段に対するリモコン送信機の相対位置を検出する相対位置検出手段と、
前記検出された相対位置に基づいて、前記表示手段を制御する制御手段とを備えた、表示装置。
【請求項２】
前記相対位置検出手段は、前記リモコン送信機が送出する光を受光する受光部を含み、前記受光した光に基づいて、前記相対位置を検出する、請求項１に記載の表示装置。
【請求項３】
前記相対位置検出手段は、前記表示手段と前記リモコン送信機との間の距離を検出する距離検出手段を含み、
前記制御手段は、与えられた制御パラメータに従って前記表示手段を駆動する駆動制御手段と、
前記検出された距離に基づいて、前記駆動制御手段に与える制御パラメータを決定する制御パラメータ決定手段とを含む、請求項１に記載の表示装置。
【請求項４】
前記相対位置検出手段は、前記表示手段の表示面に対する前記リモコン送信機の方向を検出する方向検出手段を含み、
前記制御手段は、前記検出された方向に基づいて、前記表示手段の表示面の方向を決定する方向決定手段と、
前記表示手段の表示面の方向を前記決定された方向にするために、前記表示手段を回転させる回転制御手段とを含む、請求項１または３に記載の表示装置。
【請求項５】
前記相対位置検出手段は、前記表示手段と前記リモコン送信機との間の距離を検出する距離検出手段と、
前記表示手段の表示面に対する前記リモコン送信機の方向を検出する方向検出手段とを含み、
前記制御手段は、与えられた制御パラメータに従って前記表示手段を駆動する駆動制御手段と、
前記検出された距離および前記検出された方向に基づいて、前記駆動制御手段に与える制御パラメータを決定する制御パラメータ決定手段とを含む、請求項１に記載の表示装置。
【発明の詳細な説明】
【技術分野】
【０００１】
この発明は表示装置に関し、特に、表示面を水平方向に回転可能な表示装置に関する。
【背景技術】
【０００２】
近年、テレビジョン受像機の表示画面に液晶表示装置、プラズマディスプレイパネルを用いたものが普及している。テレビジョン受像機は、室内の所定の場所に設置され、表示画面が向く方向が固定される。ユーザがテレビジョン受像機を視聴する場合、ユーザの視線に対して表示画面が垂直になるのが望ましい。特に、液晶表示装置は、視野角によって画面発光特性が変化するため、見る角度によって色が違って見えるといった問題がある。また、表示画面に近い位置から見る場合と、表示画面から離れた位置から見る場合とで、表示画面に表示された画像の見え方が違ってくる。
【０００３】
テレビジョン受像機の表示画面の角度を変更する液晶テレビが特開２００５−９４４３８号公報に記載されている。この液晶テレビは、液晶画面からなる受像表示画面を有し、スタンドの上端に支持された本体と、本体をスタンドの長さ方向軸のまわりに回転させ、本体の角度を調節する角度調節機構を備え、リモートコントロール装置によって角度調節機構を駆動するようにしたものである。
【０００４】
しかしながら、特開２００５−９４４３８号公報に記載の液晶テレビは、ユーザがリモートコントロール装置を操作して、液晶画面を回転させなければならず、操作が煩わしいといった問題がある。また、表示する画像を異ならせるための明るさ、画質、色合い、色の濃さ、コントラストなどの値は、本体またはリモートコントロール装置を操作して変更しなければならず、煩雑な操作が必要となる。
【特許文献１】特開２００５−９４４３８号公報
【発明の開示】
【発明が解決しようとする課題】
【０００５】
この発明は上述した問題点を解決するためになされたもので、この発明の目的の一つは、ユーザが見るのに適した画像を表示することが可能な表示装置を提供することである。
【課題を解決するための手段】
【０００６】
上述した目的を達成するためにこの発明のある局面によれば、表示装置は、画像を表示する表示手段と、表示手段に対するリモコン送信機の相対位置を検出する相対位置検出手段と、検出された相対位置に基づいて、表示手段を制御する制御手段とを備える。
【０００７】
この発明に従えば、表示手段に対するリモコン送信機の相対位置が検出され、相対位置に基づいて表示手段が制御される。このため、リモコン送信機の位置から見るのに適した画像が表示手段により表示される。その結果、ユーザが見るのに適した画像を表示することが可能な表示装置を提供することができる。
【０００８】
好ましくは、相対位置検出手段は、リモコン送信機が送出する光を受光する受光部を含み、受光した光に基づいて、相対位置を検出する。
【０００９】
この発明に従えば、リモコン送信機が送出する光を受光し、その受光した光に基づいて相対位置が検出されるので、従来のリモコン送信機を変更することなく、リモコン送信機の位置を検出することができる。
【００１０】
好ましくは、相対位置検出手段は、表示手段とリモコン送信機との間の距離を検出する距離検出手段を含み、制御手段は、与えられた制御パラメータに従って表示手段を駆動する駆動制御手段と、検出された距離に基づいて、駆動制御手段に与える制御パラメータを決定する制御パラメータ決定手段とを含む。
【００１１】
この発明に従えば、表示手段とリモコン送信機との間の距離が検出され、検出された距離に基づいて駆動制御手段に与える制御パラメータが決定されるので、ユーザと表示手段との間の距離に適した画像を表示することができる。
【００１２】
好ましくは、相対位置検出手段は、表示手段の表示面に対するリモコン送信機の方向を検出する方向検出手段を含み、制御手段は、検出された方向に基づいて、表示手段の表示面の方向を決定する方向決定手段と、表示手段の表示面の方向を決定された方向にするために、表示手段を回転させる回転制御手段とを含む。
【００１３】
この発明に従えば、表示面に対するリモコン送信機の方向が検出され、検出された方向に基づいて表示手段の表示面の方向が決定され、表示手段を回転させて表示手段の表示面を決定された方向にする。検出された方向に基づいて表示手段を回転させるので、表示面を見る角度を最適な角度にすることができる。
【００１４】
好ましくは、相対位置検出手段は、表示手段とリモコン送信機との間の距離を検出する距離検出手段と、表示手段の表示面に対するリモコン送信機の方向を検出する方向検出手段とを含み、制御手段は、与えられた制御パラメータに従って表示手段を駆動する駆動制御手段と、検出された距離および検出された方向に基づいて、駆動制御手段に与える制御パラメータを決定する制御パラメータ決定手段とを含む。
【００１５】
この発明に従えば、表示手段とリモコン送信機との間の距離と、表示手段の表示面に対するリモコン送信機の方向とが検出され、検出された距離および検出された方向に基づいて、表示手段を駆動するための制御パラメータが決定される。このため、ユーザと表示手段との距離およびユーザが表示面を見る角度に適した画像を表示することができる。
【発明を実施するための最良の形態】
【００１６】
以下、本発明の実施の形態について図面を参照して説明する。以下の説明では同一の部品には同一の符号を付してある。それらの名称および機能も同じである。したがってそれらについての詳細な説明は繰返さない。
【００１７】
図１は、本発明の実施の形態の一つにおけるテレビジョン受像機１００の正面図および平面図である。図１（Ａ）は正面図、図１（Ｂ）は平面図である。図１（Ａ）および図１（Ｂ）を参照して、テレビジョン受像機１００は、映像表示パネル２２およびスピーカ３６Ｒ，３６Ｌを備えた本体１０１と、本体１０１を水平方向に回転自在に支持するスタンド１０３とを含む。
【００１８】
テレビジョン受像機１００は、リモコン送信機５１により遠隔操作される。リモコン送信機５１は、テレビジョン受像機１００に指令を送出するための送信機である。このリモコン送信機５１に設けられたキーがユーザにより操作されると、そのキーに対応した指令を意味する赤外光(リモコン信号)が発光部から送出される。テレビジョン受像機１００は、リモコン送信機５１が送出する赤外光を受光するための受光部１２と、映像表示パネル２２に対するリモコン送信機５１の相対位置を検出するための角度・距離センサ１０とを備える。角度・距離センサ１０は、たとえば、浜松ホトニクス株式会社の製造する、２次元ＰＳＤ、Ｓ１２００、Ｓ１８８０、Ｓ１８８１、またはＳ２０４４を用いることができる。
【００１９】
受光部１２および角度・距離センサ１０は、映像表示パネル２２の下側近傍に設置され、映像表示パネル２２とともに水平方向に回転する。受光部１２および角度・距離センサ１０は、映像表示パネル２２の前方に位置するリモコン送信機５１から送出される赤外光を受光する。角度・距離センサ１０は、少なくとも２つの受光素子を有しており、各受光素子の出力が後述する位置情報演算回路１４（図３参照）に出力される。位置情報演算回路１４では、各受光素子の出力から映像表示パネル２２の表示面とリモコン送信機５１との間の距離と、受光した赤外光の入射角度とを演算する。
【００２０】
角度・距離センサ１０と位置情報演算回路１４とは、映像表示パネル２２に対するリモコン送信機５１の相対位置を検出する。相対位置は、映像表示パネル２２の表示面とリモコン送信機５１との間の距離と、映像表示パネル２２の表示面に対するリモコン送信機５１の方向とで定義される。映像表示パネル２２の表示面に対するリモコン送信機５１の方向は、ここでは水平方向の角度である。本体１０１がスタンド１０３に対して水平方向に回転するからである。なお、映像表示パネル２２の表示面に対するリモコン送信機５１の方向は、垂直方向の角度を含むようにしてもよい。この場合には、本体１０１がスタンド１０３に対して垂直方向に回転するようにする。
【００２１】
映像表示パネル２２の表示面に対するリモコン送信機５１の方向は、映像表示パネル２２の方向を基準にして、その基準方向と映像表示パネル２２の中心からリモコン送信機５１に向かう方向との差である。映像表示パネル２２の方向（基準方向）は、映像表示パネル２２の表示面の法線に平行で、映像表示パネル２２の前方に向かう方向である。角度・距離センサ１０は、映像表示パネル２２の水平方向の略中心に取り付けられている。角度・距離センサ１０が検出する入射角度は、映像表示パネル２２の方向と、リモコン送信機５１と角度・距離センサ１０とを結ぶ線とが水平方向になす角である。したがって、角度・距離センサ１０が検出する入射角度は、映像表示パネル２２の表示面に対するリモコン送信機５１の方向である。
【００２２】
図２は、テレビジョン受像機１００の本体１０１の回転移動を説明するための図である。図２（Ａ）は、本体１０１の右方向の回転を示し、図２（Ｂ）は、本体１０１の左方向の回転を示す。本実施の形態におけるテレビジョン受像機１００は、本体１０１がスタンド１０３のデフォルト位置にある状態から左右にそれぞれ６０度の回転を可能としている。ここでは、本体１０１がスタンド１０３のデフォルト位置にあるときの回転角を０度とし、右方向の回転をプラス、左方向の回転をマイナスの角度とする。図２（Ａ）では、右方向の限界にまで本体１０１を回転させた状態を示し、この場合の回転角度は＋６０度である。図２（Ｂ）では、左方向の限界にまで本体１０１を回転させた状態を示し、この場合の回転角度は−６０度である。
【００２３】
図３は、テレビジョン受像機１００の詳細な構成を示すブロック図である。図３を参照して、テレビジョン受像機１００は、本体１０１と、スタンド１０３と、リモコン送信機５１とを含む。本体１０１は、全体を制御するためのマイクロコンピュータ（以下「マイコン」という）１８と、映像表示パネル２２と、アンテナ等から放送波信号が入力されるテレビチューナ３０と、テレビチューナ３０から入力される放送波信号の出力先を切り替える入力信号切替回路２８と、放送波信号を処理するための映像信号処理回路２６と、映像表示パネル２２を駆動するための駆動回路２４と、音声信号処理回路３４と、音を出力するスピーカ３６Ｒ，３６Ｌと、電源回路３２と、電源スイッチ（ＳＷ）３３とを含む。
【００２４】
テレビジョン受像機１００は、ＡＣ電源５３から電力が電源回路３２に供給される。電源ＳＷ３３は、電源回路３２とＡＣ電源５３との間に設けられ、ＡＣ電源５３から電源回路３２への電力の供給および遮断を切り替える。電源回路３２は、ＡＣ電源５３から電力が供給されると、所定の電圧および電流をテレビジョン受像機１００の各回路に供給する。
【００２５】
テレビチューナ３０は、アンテナ等から入力される高周波デジタル変調信号の放送波信号から特定の周波数の信号を取り出す。また、テレビチューナ３０は、逆インターリーブ回路、誤り訂正回路を備えており、取り出した特定の周波数の高周波デジタル変調信号を復調してトランスポート・ストリーム（以下「ＴＳ」という）を生成する。テレビチューナ３０で選択する特定の周波数は、マイコン１８により指定される。また、テレビチューナ３０は、ＴＳを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケットおよびＰＳＩ（Ｐｒｏｇｒａｍ  Ｓｐｅｃｉｆｉｃ  Ｉｎｆｏｒｍａｔｉｏｎ）に分離する。テレビチューナ３０は、ビデオトランスポートパケットとオーディオトランスポートパケットを入力信号切替回路２８に供給し、ＰＳＩに含まれるサービス情報をマイコン１８に供給する。なお、ＴＳには複数のチャネルが多重化されており、この中から任意のチャネルを選択するための処理は、ＰＳＩから任意のチャネルがＴＳ中でどのパケットＩＤで多重化されているかといったデータを取り出すことで可能となる。さらに、ＴＳの選定(トランスポンダの選定）もＰＳＩの情報に基づいて行うことができる。
【００２６】
入力信号切替回路２８は、ビデオトランスポートパケットとオーディオトランスポートパケットの出力先を、映像信号処理回路２６または外部機器５５に切替える。外部機器は、たとえば、ＤＶＤプレーや、ビデオレコーダ、パーソナルコンピュータ、デジタルビデオカメラ、デジタルスチルカメラ等である。
【００２７】
映像信号処理回路２６は、ビデオトランスポートパケットに対してデコードを行うビデオデコーダ、およびオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行い、画像信号を生成する。映像信号処理回路２６は、ビデオデコーダにより生成された画像信号を、Ｄ／Ａ（デジタル／アナログ）変換し、増幅した後駆動回路２４に出力する。オーディオデコーダは、入力された符号化信号を復号して音声信号を生成する。映像信号処理回路２６は、オーディオデコーダにより生成された音声信号をＤ／Ａ変換して音声信号処理回路３４に出力する。
【００２８】
駆動回路２４は、映像表示パネル２２に接続され、映像信号処理回路２６から入力される画像信号に従って映像表示パネル２２に画像を表示させる。映像表示パネル２２は、たとえば、プラズマディスプレイパネル、液晶表示装置または陰極線管（ＣＲＴ）などである。音声信号処理回路３４は映像信号処理回路２６から音声信号を受け取り、増幅して、右（Ｒ）音のアナログ信号および左（Ｌ）音のアナログ信号を生成し、スピーカ３６Ｒ，３６Ｌにそれぞれ出力する。スピーカ３６Ｒ，３６Ｌは、入力される音声信号に従って音を出力する。
【００２９】
駆動回路２４は、マイコン１８により制御され、マイコン１８から入力される制御パラメータに従って、映像表示パネル２２に表示させる画像の明るさ、画質、色合い、色の濃さ、コントラスト、画面サイズおよび画面アスペクト比を調整する。音声信号処理回路３４は、マイコン１８により制御され、マイコン１８から入力される制御パラメータに従って、スピーカ３６Ｒ，３６Ｌに出力させる音の音量を調整する。
【００３０】
本体１０１は、さらに、リモコン送信機５１が送出する赤外光を受光する角度・距離センサ１０および受光部１２と、角度・距離センサ１０に接続される位置情報演算回路１４と、リモコン受光回路１６とを含む。角度・距離センサ１０および位置情報演算回路１４については上述したのでここでは説明を繰り返さない。位置情報演算回路１４は、演算により求めた、映像表示パネル２２の表示面とリモコン送信機５１との間の距離と、受光した赤外光の入射角度とを、リモコン受光回路１６に出力する。受光部１２は、リモコン送信機５１が送出するリモコン信号を受光する。そして受光したリモコン信号をリモコン受光回路１６に出力する。リモコン受光回路１６は、映像表示パネル２２の表示面とリモコン送信機５１との間の距離と、受光した赤外光の入射角度と、リモコン信号とをマイコン１８に出力する。
【００３１】
本体１０１は、さらにスタンド角度調整回路２０を含む。スタンド１０３は、モータ１１１を備えている。モータ１１１は、スタンド角度調整回路２０により、その駆動が制御される。本体１０１は、スタンド１０３により水平方向に回転自在に支持される。モータ１１１は、スタンド１０３が本体１０１を支持する回転軸を回転させる。スタンド角度調整回路２０は、マイコン１８により制御され、マイコン１８から入力される制御パラメータに従って、モータ１１１を駆動する。
【００３２】
図４は、マイコン１８で実行される最適表示設定処理の流れの一例を示すフローチャートである。図４を参照して、マイコン１８は、受光部１２でリモコン信号が受光されたか否かを判断する（ステップＳ０１）。受光部１２でリモコン信号が受光されると、マイコン１８は、リモコン受光回路１６からリモコン信号が入力されるので、その入力の有無を判断する。リモコン信号が受光されたならステップＳ０２へ進み、そうでなければ待機状態となる。すなわち、最適表示設定処理は、受光部１２でリモコン信号が受光されることを条件に実行される処理である。
【００３３】
次のステップＳ０２では、視聴距離Ｌが取得される。マイコン１８には、リモコン受光回路１６からリモコン信号と同時に、映像表示パネル２２の表示面とリモコン送信機５１との間の距離と、受光した赤外光の入射角度とが入力される。マイコン１８は、この入力された、映像表示パネル２２の表示面とリモコン送信機５１との間の距離を視聴距離Ｌに設定する。
【００３４】
そして、次のステップＳ０３では、相対角度Ｒが取得される。マイコン１８は、リモコン受光回路１６から入力される赤外光の入射角度を相対角度Ｒに設定する。相対角度Ｒは、映像表示パネル２２の方向（表示面の法線に平行で表示面の前方）が０度であり、その方向よりも右側（時計回り）から赤外光が入射すればプラスとなり、左側（反時計回り）から赤外光が入射すればマイナスとなる。
【００３５】
次に、振り角度Ｍが取得される。振り角度Ｍは、スタンド１０３に対する本体１０１の回転角度である。振り角度Ｍは、本体１０１がスタンド１０３のデフォルト位置にある状態が０度であり、デフォルト位置より右方向（時計回り）に回転した位置でプラスとなり、デフォルト位置より左方向（反時計回り）に回転した位置でマイナスとなる。
【００３６】
そして、振り角度Ｍと相対角度Ｒとの和の絶対値が限界回転角の６０度を超えるか否かが判断される（ステップＳ０５）。ＹＥＳであればステップＳ２１へ進み、ノーであればステップＳ０６に進む。本体１０１が限界回転角を超えて回転することはできないからである。
【００３７】
ステップＳ０６では、回転角度に、ステップＳ０３で取得された相対角度Ｒを設定する。この回転角度は、本体１０１を回転させる量を示し、マイコン１８がスタンド角度調整回路に与える制御パラメータの一つである。そして、マイコン１８は、スタンド角度調整回路２０に回転角度を与えて、本体１０１をステップＳ０６で設定された回転角度だけ回転させる（ステップＳ０７）。回転角度は、プラスであれば時計回りであり、マイナスであれば反時計回りである。本体１０１を回転角度（相対角度）だけ回転させることにより、映像表示パネル２２の表示面に対するリモコン送信機５１の方向がゼロ度になり、映像表示パネル２２の方向にリモコン送信機５１が位置することになる。このため、リモコン送信機５１を操作するユーザの視線が、映像表示パネル２２の法線と水平方向で平行に近くなり、ユーザは、映像表示パネル２２を正面から見ることができる。
【００３８】
そして、マイコン１８は、視聴角度Ｗを０度に設定し（ステップＳ０８）、振り角度Ｍを、ステップＳ０４で取得し回転前の振り角度Ｍに回転角度（相対角度Ｒ）を加算した値に更新する（ステップＳ０９）。視聴角度Ｗは、ユーザが映像表示パネル２２を見る視線と、映像表示パネル２２の表示面の法線とが水平面でなす角である。ここでは、リモコン送信機５１が送出する赤外光をユーザの視線とみなして、視聴角度Ｗを決定している。ユーザは、リモコン送信機５１を操作するので、ユーザの目に近い位置にリモコン送信機が位置するからである。
【００３９】
ステップＳ１０では、マイコン１８は、正面視聴時の出力パラメータ決定処理を実行する。正面視聴時の出力パラメータ決定処理については、後述するが、駆動回路２４に与える制御パラメータとしての出力パラメータを決定する処理である。そして、マイコン１８は、ステップＳ１０で決定した出力パラメータを駆動回路２４に出力する（ステップＳ１１）。これにより、駆動回路２４は、その出力パラメータに従って映像表示パネル２２に画像を表示させる。
【００４０】
そして、マイコン１８は、電源ＳＷ３３がＯＦＦとなったか否かを判断し（ステップＳ１２）、電源ＯＦＦであれば処理を終了して、電源ＯＦＦでなければステップＳ０１に戻る。
【００４１】
一方、ステップＳ２１では、マイコン１８は、本体１０１を回転させる方向が時計回りか否かを判断する。本体１０１を回転させる方向は、相対角度Ｒで定まり、ステップＳ０３で取得した相対角度Ｒが正であれば時計回りであり、負であれば反時計回りである。本体１０１を回転させる方向が時計回りであればステップＳ２２に進み、反時計回りであればステップＳ２６に進む。
【００４２】
ステップＳ２２では、マイコン１８は、回転角度を、時計回りの限界回転角度である６０度から振り角度Ｍを減算した値に設定する。本体１０１を時計回りの限界回転角度まで回転させるためである。そして、マイコン１８は、スタンド角度調整回路２０に回転角度を与えて、本体１０１をステップＳ２２で設定した回転角度だけ回転させる（ステップＳ２３）。これにより、本体１０１が時計回りの限界回転角度まで回転することになる。
【００４３】
そして、マイコン１８は、視聴角度Ｗを、ステップＳ０４で取得した振り角度ＭとステップＳ０３で取得した相対角度Ｒとの和から６０度を減算した値に設定する（ステップＳ２４）。そして、マイコン１８は、振り角度Ｍを、時計回りの限界回転角度の６０に更新する（ステップＳ２５）。
【００４４】
次のステップＳ３０では、マイコン１８は、斜め視聴時の出力パラメータ決定処理を実行する。斜め視聴時の出力パラメータ決定処理については、後述するが、駆動回路２４に与える制御パラメータとしての出力パラメータを決定する処理である。そして、ステップＳ１１に進む。
【００４５】
ステップＳ２６では、マイコン１８は、回転角度を、反時計回りの限界回転角度である−６０度から振り角度Ｍを減算した値に設定する。本体１０１を反時計回りの限界回転角度まで回転させるためである。そして、マイコン１８は、スタンド角度調整回路２０に回転角度を与えて、本体１０１をステップＳ２６で設定した回転角度だけ回転させる（ステップＳ２７）。これにより、本体１０１が反時計回りの限界回転角度まで回転することになる。
【００４６】
そして、マイコン１８は、視聴角度Ｗを、ステップＳ０４で取得した振り角度ＭとステップＳ０３で取得した相対角度Ｒとの和に６０度を加算した値に設定する（ステップＳ２８）。そして、振り角度Ｍを、反時計回りの限界回転角度の−６０に更新する（ステップＳ２９）。
【００４７】
次のステップＳ３０では、マイコン１８は、斜め視聴時の出力パラメータ決定処理を実行し、その後ステップＳ１１に進む。
【００４８】
図５は、図４のステップＳ１０で実行される正面視聴時の出力パラメータ設定処理の流れの一例を示す図である。図５を参照して、ステップＳ３１では、マイコン１８は、設定されているモードを判断する。モードは、ユーザにより予め設定されるもので、本実施の形態におけるテレビジョン受像機１００では、フルオートモードとセミオートモードとのいずれかの設定が可能である。モードがフルオートモードに設定されていればステップＳ３２に進み、セミオートモードに設定されていればステップＳ３４に進む。
【００４９】
ステップＳ３２では、マイコン１８は、正面視聴時のフルオートモード用出力パラメータを読み出す。マイコン１８は、それに接続された読出し専用メモリ（ＲＯＭ）に予め記憶された正面視聴時のフルオートモード用出力パラメータを読み出す。この正面視聴時のフルオートモード用出力パラメータは、距離ごとに出力パラメータを定義する。そして、ステップＳ３３では、マイコン１８は、読み出した正面視聴時のフルオートモード用出力パラメータのうちから図４のステップＳ０２で取得した視聴距離Ｌに対応する出力パラメータを取得する。そして、ステップＳ３８では、マイコン１８は、ステップＳ３３で取得した出力パラメータを図４に示した最適表示設定処理に返す。
【００５０】
一方、ステップＳ３４では、マイコン１８は、正面視聴時のセミオートモード用出力パラメータを読み出す。マイコン１８は、それに接続されたＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）に予め記憶された正面視聴時のセミオートモード用出力パラメータを読み出す。この正面視聴時のセミオートモード用出力パラメータは、距離ごとに出力パラメータを定義する。そして、ステップＳ３５では、マイコン１８は、読み出した正面視聴時のセミオートモード用出力パラメータのうちから図４のステップＳ０２で取得した視聴距離Ｌに対応する出力パラメータを取得する。そして、マイコン１８は、取得した出力パラメータが、変更されたか否かを判断する（ステップＳ３６）。この変更後の出力パラメータは、ユーザが入力するもので、たとえば、オンスクリーンディスプレイ機能を用いて出力パラメータを映像表示パネル２２に表示し、ユーザがリモコン送信機５１を操作して入力した出力パラメータを受付けることにより出力パラメータが変更される。出力パラメータに変更があればステップＳ３７に進むが、変更がなければステップＳ３７をスキップしてステップＳ３８に進む。ステップＳ３７では、マイコン１８は、変更された出力パラメータをＥＥＰＲＯＭに上書きする。そして、ステップＳ３８では、マイコン１８は、ステップＳ３５で取得した出力パラメータ、またはステップＳ３７で変更された出力パラメータを図４に示した最適表示設定処理に返す。
【００５１】
正面視聴時のフルオートモード用出力パラメータと、正面視聴時のセミオートモード用出力パラメータとは、前者がユーザによる出力パラメータの変更が許可されないのに対して、後者がユーザにより出力パラメータの変更が可能とされる点で異なるのみである。
【００５２】
図６は、正面視聴時の出力パラメータの一例を示す図である。図６（Ａ）は、デフォルトの出力パラメータの一例を示す図であり、図６（Ｂ）は、フルオートモード用出力パラメータの一例を示す図であり、図６（Ｃ）は、セミオートモード用出力パラメータの一例を示す図である。図６（Ａ）に示すデフォルトの出力パラメータは、最適表示設定処理が実行されない場合に用いられる出力パラメータである。出力パラメータは、画質に関連する出力パラメータと、画面に関連する出力パラメータと、音声に関連する出力パラメータとがある。画質に関連する出力パラメータは、明るさ、コントラスト、色合い、色の濃さ、シャープネスそれぞれを定める出力パラメータを含む。画面に関連する出力パラメータは、画面サイズおよびアスペクト比を定める出力パラメータを含む。音声に関連する出力パラメータは、音の大きさを定める出力パラメータを含む。
【００５３】
図６（Ｂ）を参照して、フルオートモード用出力パラメータは、視聴距離ごとに出力パラメータを定義する。ここでは、視聴距離が１メートル以内の出力パラメータと、１メートルを超え３メートル以内の出力パラメータと、３メートルを超える出力パラメータとが定義される。画質の明るさとコントラストは、視聴距離が長いほど明るくする値、またはコントラストを強調する値となるのが好ましい。また、色合いは、視聴距離が長いほど色合いを強調する値となるのが好ましい。色の濃さは、視聴距離が長いほど濃くなる値となるのが好ましい。画面サイズは、視聴距離が長いほど大きくなるのが好ましい。音声出力は、視聴距離が長いほど大きくなるのが好ましい。
【００５４】
図６（Ｃ）を参照して、セミオートモードの出力パラメータの値は、デフォルトでは、フルオートモードと同じ値であるが、ユーザに変更されてフルオートモードと異なる値となり得る。
【００５５】
図７は、図４のステップＳ３０で実行される斜め視聴時の出力パラメータ設定処理の流れの一例を示す図である。図７を参照して、ステップＳ４１では、マイコン１８は、設定されているモードを判断する。モードがフルオートモードに設定されていればステップＳ４２に進み、セミオートモードに設定されていればステップＳ４４に進む。
【００５６】
ステップＳ４２では、マイコン１８は、斜め視聴時のフルオートモード用出力パラメータを読み出す。マイコン１８は、それに接続された読出し専用メモリ（ＲＯＭ）に予め記憶された斜め視聴時のフルオートモード用出力パラメータを読み出す。この斜め視聴時のフルオートモード用出力パラメータは、視聴角度ごとおよび視聴距離ごとに出力パラメータを定義する。そして、ステップＳ４３では、マイコン１８は、読み出した斜め視聴時のフルオートモード用出力パラメータのうちから図４のステップＳ０２で取得した視聴距離ＬおよびステップＳ２４またはステップＳ２８で設定した視聴角度Ｗに対応する出力パラメータを取得する。そして、ステップＳ４８では、マイコン１８は、ステップＳ４３で取得した出力パラメータを図４に示した最適表示設定処理に返す。
【００５７】
一方、ステップＳ４４では、マイコン１８は、斜め視聴時のセミオートモード用出力パラメータを読み出す。マイコン１８は、それに接続されたＥＥＰＲＯＭに予め記憶された斜め視聴時のセミオートモード用出力パラメータを読み出す。この斜め視聴時のセミオートモード用出力パラメータは、視聴角度ごとおよび視聴距離ごとに出力パラメータを定義する。そして、ステップＳ４５では、読み出した斜め視聴時のセミオートモード用出力パラメータのうちから図４のステップＳ０２で取得された視聴距離Ｌ、およびステップＳ２４またはステップＳ２８で設定された視聴角度Ｗに対応する出力パラメータを取得する。そして、マイコン１８は、取得した出力パラメータが、変更されたか否かを判断する。変更後の出力パラメータは、ユーザが入力するもので、たとえば、オンスクリーンディスプレイ機能を用いて出力パラメータを映像表示パネル２２に表示し、ユーザがリモコン送信機５１を操作して入力した出力パラメータを受付けることにより出力パラメータが変更される。出力パラメータに変更があればステップＳ４７に進むが、変更がなければステップＳ４７をスキップしてステップＳ４８に進む。ステップＳ４７では、マイコン１８は、変更された出力パラメータをＥＥＰＲＯＭに上書きする。そして、ステップＳ４８では、マイコン１８は、ステップＳ４５で取得した出力パラメータ、またはステップＳ４６で変更された出力パラメータを図４に示した最適表示設定処理に返す。
【００５８】
図８は、斜め視聴時のフルオートモード用出力パラメータの一例を示す図である。図８を参照して、斜め視聴時のフルオートモード用出力パラメータは、視聴距離ごとおよび視聴角度ごとに出力パラメータを定義する。ここでは、視聴距離を、１メートル以内、１メートルを超え３メートル以内、および３メートル超の３つに分類し、視聴角度を、−６０〜−３０度、−３０〜＋３０度、＋３０〜＋６０度の３つに分類し、視聴距離の分類と、視聴角度の分類とで出力パラメータの９つの組を定義している。
【００５９】
たとえば、画質の色合いと色の濃さとは、視聴角度の絶対値が大きいほど、換言すれば映像表示パネル２２を斜めから見る角度が増えるほど、小さな値となるのが好ましい。また、音声出力は、左右のスピーカ３６Ｒ，３６Ｌと視聴者との距離が異なってくるので、音のバランスを調節するのが好ましい。
【００６０】
なお、ここでは、斜め視聴時のフルオートモード用出力パラメータの一例のみを示したが、斜め視聴時のセミオートモード用出力パラメータは、フルオートモード用出力パラメータをデフォルト値とし、ＥＥＰＲＯＭに記憶するようにすればよい。そして、フルオートモード用出力パラメータと異なり、出力パラメータがユーザにより変更可能であればよい。
【００６１】
図９〜図１２は、テレビジョン受像機の最適表示設定処理による本体の回転動作を示す図である。図９を参照して、本体１０１は、スタンド１０３に対してデフォルト位置にある。視聴位置Ａまたは視聴位置Ｃでリモコン送信機５１を使用すると、本体１０１が回転する。図１０は、視聴位置Ａでリモコン送信機５１を操作した後のテレビジョン受像機を示す図である。図１０に示すように、視聴位置Ａと本体１０１の中心とを結ぶ線が本体１０１の表示面と水平面で直交する。このため、視聴位置Ａから映像表示パネル２２を正面から見ることができる。なお、図では、直交するように示しているが、実際には回転誤差、計測誤差により直交することはまれである。また、視聴位置Ａから本体１０１までの距離が２メートル（Ｍ）なので、その視聴距離に応じた出力パラメータで映像表示パネル２２が駆動され、視聴距離に対して最適な画像が表示される。
【００６２】
図１１は、視聴位置Ｂでリモコン送信機５１を操作した後のテレビジョン受像機を示す図である。図１１に示すように、本体１０１がスタンド１０３のデフォルト位置にある状態で、視聴位置Ｂと本体１０１の中心とを結ぶ線が本体１０１の表示面と水平面で直交する。このため、本体１０１は回転しないが、視聴位置Ｂから映像表示パネル２２を正面から見ることができる。なお、図では、直交するように示しているが、実際には回転誤差、計測誤差により直交することはまれである。また、視聴位置Ｂから本体１０１までの距離が０．９メートル（Ｍ）なので、その視聴距離に応じた出力パラメータで映像表示パネル２２が駆動され、視聴距離に対して最適な画像が表示される。
【００６３】
図１２は、視聴位置Ｃでリモコン送信機５１を操作した後のテレビジョン受像機を示す図である。図１２に示すように、視聴位置Ｃと本体１０１の中心とを結ぶ線が本体１０１の表示面と水平面で直交する。このため、視聴位置Ｃから映像表示パネル２２を正面から見ることができる。なお、図では、直交するように示しているが、実際には回転誤差、計測誤差により直交することはまれである。また、視聴位置Ｃから本体１０１までの距離が３．５メートル（Ｍ）なので、その視聴距離に応じた出力パラメータで映像表示パネル２２が駆動され、視聴距離に対して最適な画像が表示される。
【００６４】
＜変形例＞
変形例におけるテレビジョン受像機１００は、本体１０１がスタンド１０３に対して水平方向に回転しない。変形例におけるテレビジョン受像機１００は、視聴角度および視聴距離に応じた出力パラメータで、画像を映像表示パネル２２に表示させる。したがって、変形例におけるテレビジョン受像機１００は、図３に示したスタンド角度調整回路２０と、モータ１１１とが不要となる。
【００６５】
図１３は、変形例におけるテレビジョン受像機１００のマイコン１８で実行される最適表示設定処理の流れの一例を示すフローチャートである。図１３を参照して、図４に示したステップＳ０１〜ステップＳ０３が実行される。これにより、視聴距離Ｌおよび相対角度Ｒが取得される。そして、図７に示したステップＳ４１〜ステップＳ４７と同じ処理が実行される。すなわち、ステップＳ４１では、マイコン１８は、設定されているモードを判断する。モードがフルオートモードに設定されていればステップＳ４２に進み、セミオートモードに設定されていればステップＳ４４に進む。
【００６６】
そして、ステップＳ４２では、マイコン１８は、斜め視聴時のフルオートモード用出力パラメータを読み出す。マイコン１８は、読み出した斜め視聴時のフルオートモード用出力パラメータのうちからステップＳ０２で取得した視聴距離ＬおよびステップＳ０３で取得した相対角度Ｒに対応する出力パラメータを取得する（ステップＳ４３）。そして、ステップＳ１１に進む。
【００６７】
一方、ステップＳ４４では、マイコン１８は、斜め視聴時のセミオートモード用出力パラメータを読み出す。マイコン１８は、読み出した斜め視聴時のセミオートモード用出力パラメータのうちからステップＳ０２で取得した視聴距離ＬおよびステップＳ０３で取得した相対角度Ｒに対応する出力パラメータを取得する（ステップＳ４５）。そして、マイコン１８は、取得した出力パラメータが、変更されたか否かを判断し（ステップＳ４６）、出力パラメータに変更があればステップＳ４７に進むが、変更がなければステップＳ４７をスキップしてステップＳ１１に進む。ステップＳ４７では、マイコン１８は、変更された出力パラメータをＥＥＰＲＯＭに上書きする。そして、ステップＳ１１に進む。
【００６８】
ステップＳ１１では、ステップＳ４３またはステップＳ４５で取得した出力パラメータ、またはステップＳ４６で変更された出力パラメータを駆動回路２４に出力する。これにより、駆動回路２４は、その出力パラメータで映像表示パネル２２に画像を表示させる。
【００６９】
以上説明したように、本実施の形態におけるテレビジョン受像機１００は、最適表示設定処理がマイコン１８で実行されると、映像表示パネル２２がリモコン送信機５１を操作するユーザに対して正面を向き、映像表示パネル２２の表示面とリモコン送信機５１との間の距離によって、駆動回路２４に与えられる制御パラメータ（出力パラメータ）が定められる。このため、ユーザは、画像表示装置を可能な限り正面からみることができ、視聴する距離で最適な画質、画面サイズで画像を見ることができる。さらに、音量が距離に応じて調節されるので、音量を調節する操作が不要となる。
【００７０】
また、本体１０１が限界回転角度まで回転して、視聴角度が０度にならない場合、または本体１０１がカ水平方向に回転しない場合には、視聴角度に応じた出力パラメータが決定される。このため、映像表示パネル２２を斜めから見る場合であっても、その視聴角度で見るのに適した画像が映像表示パネル２２から出力される。このため、ユーザが見る位置に適した画質、画面サイズで画像を出力することができ、また、ユーザが聴く位置に適した音量で音を出力することができる。
【００７１】
なお、本実施の形態においては、正面視聴時のフルオートモード用出力パラメータを、視聴距離に応じた出力パラメータの組をＲＯＭに記憶するようにしたが、視聴距離を変数にした関数で出力パラメータを定義して、その関数をＲＯＭに記憶するようにしてもよい。同様に、斜め視聴時のフルオートモード用出力パラメータを、視聴距離および視聴角度に応じた出力パラメータの組をＲＯＭに記憶するようにしたが、視聴距離および視聴角度を変数にした関数で出力パラメータを定義して、その関数をＲＯＭに記憶するようにしてもよい。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７３】
【図１】本発明の実施の形態の一つにおけるテレビジョン受像機１００の正面図および上面図である。
【図２】テレビジョン受像機１００の本体１０１の回転移動を説明するための図である。
【図３】テレビジョン受像機１００の詳細な構成を示すブロック図である。
【図４】マイコン１８で実行される最適表示設定処理の流れの一例を示すフローチャートである。
【図５】図４のステップＳ１０で実行される正面視聴時の出力パラメータ設定処理の流れの一例を示す図である。
【図６】正面視聴時の出力パラメータの一例を示す図である。
【図７】図４のステップＳ３０で実行される斜め視聴時の出力パラメータ設定処理の流れの一例を示す図である。
【図８】斜め視聴時のフルオートモード用出力パラメータの一例を示す図である。
【図９】テレビジョン受像機の最適表示設定処理による本体の回転動作を示す第１の図である。
【図１０】テレビジョン受像機の最適表示設定処理による本体の回転動作を示す第２の図である。
【図１１】テレビジョン受像機の最適表示設定処理による本体の回転動作を示す第３の図である。
【図１２】テレビジョン受像機の最適表示設定処理による本体の回転動作を示す第４の図である。
【図１３】変形例におけるテレビジョン受像機のマイコンで実行される最適表示設定処理の流れの一例を示すフローチャートである。
【符号の説明】
【００７４】
１０  角度・距離センサ、１２  受光部、１４  位置情報演算回路、１６  リモコン受光回路、１８  マイコン、２０  スタンド角度調整回路、２２  映像表示パネル、２４  駆動回路、２６  映像信号処理回路、２８  入力信号切替回路、３０  テレビチューナ、３２  電源回路、３３  電源ＳＷ、３４  音声信号処理回路、３６Ｒ，３６Ｌ  スピーカ、５１  リモコン送信機、５３  電源、５５  外部機器、１００  テレビジョン受像機、１０１  本体、１０３  スタンド、１１１  モータ。
【図１】
2007074130.tif 000003
【図２】
2007074130.tif 000004
【図３】
2007074130.tif 000005
【図４】
2007074130.tif 000006
【図５】
2007074130.tif 000007
【図６】
2007074130.tif 000008
【図７】
2007074130.tif 000009
【図８】
2007074130.tif 000010
【図９】
2007074130.tif 000011
【図１０】
2007074130.tif 000012
【図１１】
2007074130.tif 000013
【図１２】
2007074130.tif 000014
【図１３】
2007074130.tif 000015